(57)【要約】      （修正有）【課題】上段コンソールボックス本体内の物の出し入れと下段コンソールボックス本体内の物の出し入れとを同時に行うことができる二段式コンソールボックスを提供する。【解決手段】本発明の二段式コンソールボックス１は、蓋体４の後端側を下段コンソールボックス本体２にヒンジ連結し、上段コンソールボックス本体３を蓋体４にヒンジ連結したものであって、蓋体４を閉じたときには蓋体４を回動不能にロックしかつ蓋体４を開くときには解除する操作を行う第１ロック部材２２と、上段コンソールボックス本体３を閉じたときには上段コンソールボックス本体３を回動不能にロックし、開くときにはそのロックを解除する操作を行う第２ロック部材２３とを蓋体４の前端側に設け、上段コンソールボックス本体３は蓋体４の回動に伴って後端側に向かってスライド可能とされ、第１ロック部材２２の操作に連動して第２ロック部材２３のロックが解除される構成となっている。【選択図】  図２
2006111036.tif 000002
【特許請求の範囲】
【請求項１】
車体フロア側に設けられた下段コンソールボックス本体の上に上段コンソールボックス本体を設け、該上段コンソールボックス本体の上に蓋体を設け、前記蓋体の後端側を前記下段コンソールボックス本体にヒンジ連結し、前記上段コンソールボックス本体を前記蓋体にヒンジ連結した二段式コンソールボックスであって、
前記蓋体を閉じたときには前記上段コンソールボックス本体に対して前記蓋体を回動不能にロックしかつ該蓋体を開くときにはそのロックを解除する操作を行うための第１ロック部材と、前記上段コンソールボックス本体を閉じたときには前記下段コンソールボックス本体に対して前記上段コンソールボックス本体を回動不能にロックしかつ前記上段コンソールボックス本体を開くときにはそのロックを解除する操作を行うための第２ロック部材とを前記蓋体の前端側に設け、前記上段コンソールボックス本体は前記蓋体の回動に伴って後端側に向かってスライド可能とされ、前記第１ロック部材の操作に連動して前記第２ロック部材のロックが解除される構成となっていることを特徴とする二段式コンソールボックス。
【請求項２】
前記第１ロック部材と前記第２ロック部材とは互いに上下方向に重なり合う平板部を有し、該平板部には共通軸が挿通される軸挿通部が形成され、前記第１ロック部材にはその平板部に下方に向かって延びて前記上段コンソールボックス本体の前端側に設けられた係合部に係合される係合爪と水平方向に張り出された操作板部とが設けられ、前記第２ロック部材にはその平板部に下方に向かって延びて前記下段コンソールボックス本体の前端側に設けられた係合部に係合される係合爪と前記操作板部とは反対方向に水平方向に張り出された操作板部と前記軸挿通部から前記後端側に向かって延びて前記蓋体に回動操作時の押圧力を付与する押圧バネ片部とが設けられ、前記共通軸は前記蓋体に軸支されていることを特徴とする請求項１に記載の二段式コンソールボックス。
【請求項３】
前記第１ロック部材にはその係合爪に上下方向に延びる突状部が形成され、前記第２ロック部材にはその係合爪に水平方向に延びて前記突状部と係合する突状部が形成されていることを特徴とする請求項２に記載の二段式コンソールボックス。
【請求項４】
前記第１ロック部材には前記軸挿通部から前記後端側に向かって延びる押圧バネ片部が形成され、前記押圧バネ片部の押圧力は前記第２ロック部材の押圧バネ片部の押圧力よりも小さいことを特徴とする請求項３に記載の二段式コンソールボックス。
【発明の詳細な説明】
【技術分野】
【０００１】
本発明は、車体フロア側に設けられた下段コンソールボックス本体の上に上段コンソールボックス本体を設け、上段コンソールボックス本体の上に蓋体を設けた二段式コンソールボックスの改良に関する。
【背景技術】
【０００２】
従来から、車体フロア側に設けられた下段コンソールボックス本体の上に上段コンソールボックス本体を設け、上段コンソールボックス本体の上に蓋体を設け、上段コンソールボックス本体の後端側を下段コンソール本体にヒンジ連結し、蓋体の後端側を上段コンソールボックス本体にヒンジ連結した二段式コンソールボックスが知られている（例えば、特許文献１参照。）。
【０００３】
この従来の二段式コンソールボックスでは、蓋体を閉じたときには上段コンソールボックス本体に対して蓋体を回動不能にロックしかつ蓋体を開くときにはそのロックを解除する操作を行うための第１ロック部材が蓋体に設けられ、上段コンソールボックス本体を閉じたときには下段コンソールボックス本体に対して上段コンソールボックス本体を回動不能にロックしかつ上段コンソールボックス本体を開くときにはそのロックを解除する操作を行うための第２ロック部材が上段コンソールボックス本体に設けられている。
【特許文献１】特許第２８７２６８６号公報
【発明の開示】
【発明が解決しようとする課題】
【０００４】
しかしながら、この従来の二段式コンソールボックスでは、蓋体を開いて上段コンソールボックス本体内の物の出し入れを行う場合には第２ロック部材の操作が不能となり、その反対に上段コンソールボックス本体を開いて下段コンソールボックス本体内の物の出し入れを行う場合には第１ロック部材の操作が不能となり、上段コンソールボックス本体内の物の出し入れと下段コンソールボックス本体内の物の出し入れとを同時に行うことができない構造となっている。
【０００５】
本発明は、上記の事情に鑑みて為されたもので、上段コンソールボックス本体内の物の出し入れと下段コンソールボックス本体内の物の出し入れとを同時に行うことができる二段式コンソールボックスを提供することを目的とする。
【課題を解決するための手段】
【０００６】
請求項１に記載の二段式コンソールボックスは、車体フロア側に設けられた下段コンソールボックス本体の上に上段コンソールボックス本体を設け、該上段コンソールボックス本体の上に蓋体を設け、前記蓋体の後端側を前記下段コンソールボックス本体にヒンジ連結し、前記上段コンソールボックス本体を前記蓋体にヒンジ連結したものであって、前記蓋体を閉じたときには前記上段コンソールボックス本体に対して前記蓋体を回動不能にロックしかつ該蓋体を開くときにはそのロックを解除する操作を行うための第１ロック部材と、前記上段コンソールボックス本体を閉じたときには前記下段コンソールボックス本体に対して前記上段コンソールボックス本体を回動不能にロックしかつ前記上段コンソールボックス本体を開くときにはそのロックを解除する操作を行うための第２ロック部材とを前記蓋体の前端側に設け、前記上段コンソールボックス本体は前記蓋体の回動に伴って後端側に向かってスライド可能とされ、前記第１ロック部材の操作に連動して前記第２ロック部材のロックが解除される構成となっていることを特徴とする。
【０００７】
請求項２に記載の二段式コンソールボックスは、前記第１ロック部材と前記第２ロック部材とは互いに上下方向に重なり合う平板部を有し、該平板部には共通軸が挿通される軸挿通部が形成され、前記第１ロック部材にはその平板部に下方に向かって延びて前記上段コンソールボックス本体の前端側に設けられた係合部に係合される係合爪と水平方向に張り出された操作板部とが設けられ、前記第２ロック部材にはその平板部に下方に向かって延びて前記下段コンソールボックス本体の前端側に設けられた係合部に係合される係合爪と前記操作板部とは反対方向に水平方向に張り出された操作板部と前記軸挿通部から前記後端側に向かって延びて前記蓋体に回動操作時の押圧力を付与する押圧バネ片部とが設けられ、前記共通軸は前記蓋体に軸支されていることを特徴とする。
【０００８】
請求項３に記載の二段式コンソールボックスは、前記第１ロック部材にはその係合爪に上下方向に延びる突状部が形成され、前記第２ロック部材にはその係合爪に水平方向に延びて前記突状部と係合する突状部が形成されていることを特徴とする。
【０００９】
請求項４に記載の二段式コンソールボックスは、前記第１ロック部材には前記軸挿通部から前記後端側に向かって延びる押圧バネ片部が形成され、前記押圧バネ片部の押圧力は前記第２ロック部材の押圧バネ片部の押圧力よりも小さいことを特徴とする。
【発明の効果】
【００１０】
請求項１ないし請求項４に記載の発明によれば、第１ロック部材を操作したときにはこれに連動して第２ロック部材のロックが解除されるので、蓋体を開けると共に上段コンソールボックス本体を開けることができ、上段コンソールボックス本体内の物の出し入れと下段コンソールボックス本体内の物の出し入れとを同時に行うことができることになり、その一方第２ロック部材を操作したときには上段コンソールボックス本体のみが開かれかつ蓋体は開かないので、蓋体が不用意に開くのを確実に阻止しつつ下段コンソールボックス本体内の物の出し入れを行うことができる。
【００１１】
請求項２に記載の発明によれば、第１ロック部材と第２ロック部材とを共通軸に支持させる構成としたので、ロック部材の構成のコンパクト化を図ることができるという効果を奏する。
【００１２】
請求項３に記載の発明によれば、第１ロック部材と第２ロック部材とを共通軸に支持させて一体化した場合であっても、第１ロック部材と第２ロック部材とを上下方向に延びる突状部と水平方向に延びる突状部とを交差させ、点接触により互いに係合させて静止状態を維持させることにしたので、非回動操作時に水平方向に延びる操作板部の面一の容易化を図ることができ、両操作板部が多少ずれて面一不良が生じた場合でも、突状部の互いに点接触する箇所の高さをサンドペーパ等を用いて微調整することにより、その面一修正を容易に行うことができ、ひいては、外観上の見栄えの向上を図ることができる。
【００１３】
請求項４に記載の発明によれば、第１ロック部材により蓋体と上段コンソールボックス本体とを開けるときの回動操作力と第２ロック部材により上段コンソールボックス本体を開けるときの回動操作力とをほぼ同じにすることができ、回動操作の際の違和感の低減を図ることができる。
【発明を実施するための最良の形態】
【００１４】
以下に本発明に係わる二段式コンソールボックスの発明の実施の形態を図面を参照しつつ説明する。
【実施例】
【００１５】
図１〜図３は本発明に係わる二段式コンソールボックスの概要を示す斜視図であって、この図１〜図３において、符号１は二段式コンソールボックスを示す。この二段式コンソールボックス１は、例えば、自動車の運転席と助手席との間に設けられる。
【００１６】
この二段式コンソールボックス１は、車体フロア側に取り付けられる下段コンソールボックス本体２と、この下段コンソールボックス本体２の上に設けられる上段コンソールボックス本体３と、この上段コンソールボックス本体３の上に設けられる蓋体４とから大略構成されている。
【００１７】
下段コンソールボックス本体２は、図２、図３に示すように上方に開口部する収納凹所５を有する。この収納凹所５は図２、図３に示すように車両前後方向に延びる一対の側壁部６、６と、図４に模式的に示すように一対の側壁部６、６の車両後方側に設けられた後壁部７と、一対の側壁部６、６の車両前方側に設けられた前壁部８と、底壁部９とによって構成される。
【００１８】
その一対の側壁部６、６の上部には図５に部分的に模式的に拡大して示すように車両前後方向に延びる案内溝６ａ、６ａが設けられている。その前壁部８の上部には後述する第２ロック部材のロック爪が係合する係合部としての開口部１０が図４、図６に示すように形成されている。
【００１９】
上段コンソールボックス本体３は収納凹所１１を有する直方体形状のトレイ構造とされている。この収納凹所１１は車両前後方向に延びる一対の側壁部１２、１２と、一対の側壁部１２、１２の車両後方側に設けられた後壁部１３と、一対の側壁部１２、１２の車両前方側に設けられた前壁部１４と、底壁部１５とから大略構成されている。
【００２０】
一対の側壁部１２、１２の上部には下方に向かって屈曲されて案内溝６ａ、６ａに係合する屈曲板部１２ａ、１２ａが図５に示すように設けられている。蓋体４は図２、図３に示すように、下段コンソールボックス本体２の後端側である後壁部７の上部にヒンジ部７ａを介して連結されている。
【００２１】
上段コンソールボックス本体３の前端側である前壁部１４の上部には後述する第１ロック部材のロック爪が係合する係合部としての係合突起１７が形成されている。上段コンソールボックス本体３の側壁部１２、１２にはその後壁部側に支持軸３ａが形成されている。
【００２２】
蓋体４は蓋板１８と内皮部材１９と外皮部材２０とから大略構成されている。蓋板１８にはその後端側にアーム１８ａが形成され、このアーム１８ａは上段コンソールボックス本体３の支持軸３ａに連結され、これにより上段コンソールボックス本体３が蓋体４にヒンジ連結される。
【００２３】
蓋板１８と内皮部材１９とは図示を略す締結ネジ部材によってネジ結合され、内皮部材１９と外皮部材２０とも同様にネジ結合されている。その蓋体１８の前端側で蓋板１８と内皮部材１９との間には図７〜図１２に示すようにロック部材２１が設けられている。そのロック部材２１は第１ロック部材２２と第２ロック部材２３とから構成されている。
【００２４】
その第１ロック部材２２は蓋体４を閉じたときには上段コンソールボックス本体３に対して蓋体４を回動不能にロックしかつ蓋体４を開くときにはそのロックを解除する操作を行うために用いられ、その第２ロック部材２３は上段コンソールボックス本体３を閉じたときには下段コンソールボックス本体２に対して上段コンソールボックス本体３を回動不能にロックしかつ上段コンソールボックス本体３を開くときにはそのロックを解除する操作を行うために用いられる。
【００２５】
その第１ロック部材２２と第２ロック部材２３とは互いに上下方向に重なり合う傾斜平板部２２ａ、２３ａを有する。この傾斜平板部２２ａ、２３ａには共通軸２４が挿通される軸挿通部２２ｂ、２３ｂが形成されている。このように、第１ロック部材２２と第２ロック部材２３とを共通軸２４に支持させることによりロック部材２１を構成することにしたので、ロック部材２１の構成のコンパクト化が図られる。
【００２６】
第１ロック部材２２の傾斜平板部２２ａには下方に向かって延びて係合突起１７に係合する係合爪２２ｃと水平方向に張り出された操作板部２２ｄと押圧バネ片部２２ｅとが設けられている。第２ロック部材２３の傾斜平板部２３ａには下方に向かって延びて開口部１０に係合する係合爪２３ｃと操作板部２２ｄとは反対方向に向かって水平方向に張り出された操作板部２３ｄと押圧バネ片部２３ｅとが設けられている。
【００２７】
その押圧バネ片部２２ｅ、２３ｅは共に軸挿通部２２ｂ、２３ｂから車両後方側に向かって延びており、押圧バネ片部２２ｅは車両振動に対する第１ロック部材２２のガタツキを防止する役割を主として果たし、押圧バネ片部２３ｅは蓋体４の回動操作時の押圧力を付与する役割を果たし、押圧バネ片部２２ｅの押圧力は押圧バネ片部２３ｅの押圧力よりも小さく設定されている。
【００２８】
蓋体４にはその蓋板１８の前端側に共通軸２４を支持する一対の支持壁２５が形成され、ロック部材２１はその共通軸２４を支持壁２５に軸支させることにより、蓋板１８と内皮部材１９との間に保持される。
【００２９】
ここでは、押圧バネ片部２２ｅは共通軸２４の延びる方向に間隔を開けて一対設けられ、押圧バネ片部２３ｅはその一対の押圧バネ片部２２ｅ、２２ｅの間に位置して、一対の押圧バネ片部２２ｅは左右対称の構成とされ、これによりロック部材２１の蓋体４への支持の安定化、回動操作時の蓋体４に加わる押圧力の均等化が図られている。
【００３０】
その第１ロック部材２２の係合爪２２ｃと第２ロック部材２３の係合爪２３ｃとは前後方向に重なっており、係合爪２２ｃには図６に拡大して示すようにその係合爪２３ｃに臨む側の面に上下方向に延びる突状部２２ｆが形成されている。第２ロック部材２３の係合爪２３にはその係合爪２２ｃに臨む側の面に水平方向に延びて突状部２２ｆと係合する突状部２３ｆが形成されている。
【００３１】
この構成のロック部材２１を用いれば、第１ロック部材２２を操作すると、第１ロック部材２２の係合爪２２ｃに形成されている突状部２２ｆが第２ロック部材２３の係合爪２３ｃに形成されている突状部２３ｆに係合して、第２ロック部材２３が第１ロック部材２２の回動操作に伴って回動され、第２ロック部材２３の係合爪２３ｃと開口部１０との係合が解除されるので、下段コンソールボックス本体２に対して蓋体４が回動可能になると共に、第１ロック部材２２の係合爪２２ｃと係合突起１７との係合が解除されるので、上段コンソールボックス本体３に対して蓋体４が相対的に回動可能となり、従って上段コンソールボックス本体３に対して蓋体４が回動されて開かれると共に、上段コンソールボックス本体３が蓋体４の回動に伴って車両後方側に向かってスライドされ、従って、図２に示すように上段コンソールボックス本体３の収納凹所１１、下段コンソールボックス本体２の収納凹所５への物の出し入れを同時に行うことができる。
【００３２】
また、第２ロック部材２３を操作すると、第１ロック部材２２の係合爪２２ｃの突状部２２ｆに対して第２ロック部材２３の係合爪２３ｃの突状部２３ｆが離間されるため、第２ロック部材２３の回動操作が第１ロック部材２２に伝達されず、ロック爪２２ｃと係合突起１７とが係合された状態で、ロック爪２３ｃと開口部１０との係合が解除されるので、図３に示すように蓋体４が閉じられたまま上段コンソールボックス本体３が蓋体４と一体に下段コンソールボックス本体２に対して回動されることになり、従って、蓋体４が不用意に開くのを確実に防止しつつ下段コンソールボックス本体２の収納凹所５の物の出し入れを行うことができる。
【００３３】
このものによれば、第１ロック部材２２と第２ロック部材２３とを共通軸２４に支持させて一体化した場合であっても、第１ロック部材２２と第２ロック部材２３とを上下方向に延びる突状部２２ｆと水平方向に延びる突状部２３ｆとを交差させ、点接触により互いに係合させて非回動操作時の静止状態を維持させることにしたので、非回動操作時に水平方向に延びる操作板部２２ｄ、２３ｄの面一の容易化を図ることができ、両操作板部２２ｄ、２３ｄが多少ずれて面一不良が生じた場合でも、突状部２２ｆ、２３ｆの互いに点接触する箇所の高さを微調整することにより、その面一修正を容易に行うことができる。
【００３４】
また、第２ロック部材２３の押圧バネ片部２３ｆに回動操作時の荷重を担わせることにしたので、第１ロック部材２２により蓋体４と上段コンソールボックス本体３とを開けるときの回動操作力と第２ロック部材２３により上段コンソールボックス本体３を開けるときの回動操作力とをほぼ同じにすることができることになり、回動操作の際の違和感の低減を図ることができる。
【００３５】
なお、ロック部材２１の組み立ては、第１ロック部材２２の傾斜平板部２２ａの上方に、第２ロック部材２３の傾斜平板部２３ａを重ね、お互いの軸挿通部２２ｂ、２３ｂの軸心を一致させ、側方から共通軸２４を圧入することにより行う。
【図面の簡単な説明】
【００３６】
【図１】本発明に係わる蓋体と上段コンソールボックス本体とを閉じた状態を示す二段式コンソールボックスの概略構成を示す斜視図である。
【図２】本発明に係わる蓋体と上段コンソールボックス本体とを開いた状態を示す二段式コンソールボックスの概略構成を示す斜視図である。
【図３】本発明に係わる上段コンソールボックス本体のみを開いた状態を示す二段式コンソールボックスの概略構成を示す斜視図である。
【図４】図１に示す二段式コンソールボックスの内部構造を模式的に示す図である。
【図５】図２に示す上段コンソールボックス本体の屈曲板部と下段コンソールボックス本体の案内溝との係合関係を説明するための部分拡大斜視図である。
【図６】図４に示すロック部材と二段式コンソールの前端部分とを拡大して示す模式図である。
【図７】図６に示すロック部材の平面図であって、回動操作前の状態を示す図である。
【図８】図７に示すロック部材の側面図である。
【図９】図７に示すロック部材の斜視図である。
【図１０】図６に示すロック部材の平面図であって、ロック部材を蓋体に取り付けない状態で第２ロック部材のみを回動操作させた状態を示す平面図である。
【図１１】図１０に示すロック部材の斜視図である。
【図１２】図１０に示すロック部材の側面図である。
【図１３】図７に示す第１ロック部材の平面図である。
【符号の説明】
【００３７】
１…二段式コンソールボックス
２…下段コンソールボックス本体
３…上段コンソールボックス本体
４…蓋体
２２…第１ロック部材
２３…第２ロック部材
【図１】
2006111036.tif 000003
【図２】
2006111036.tif 000004
【図３】
2006111036.tif 000005
【図４】
2006111036.tif 000006
【図５】
2006111036.tif 000007
【図６】
2006111036.tif 000008
【図７】
2006111036.tif 000009
【図８】
2006111036.tif 000010
【図９】
2006111036.tif 000011
【図１０】
2006111036.tif 000012
【図１１】
2006111036.tif 000013
【図１２】
2006111036.tif 000014
【図１３】
2006111036.tif 000015